(57)【要約】【課題】両面印刷された裏紙の両面を読み取った場合に、自動で裏紙の新たな印刷面を判別し、新たな印刷面の内容に応じた読取データのみを出力する。【解決手段】読取装置１は、用紙の両面読取に対して裏紙判別を行うことができ、裏紙判別の処理を行う場合、用紙両面において文末表現が一致するか、言語が一致するか、書式が一致するか、又はキーワードの使用回数が同程度であるかの少なくとも１つを判別条件として設定する。設定された判別条件に基づき裏紙の両面の印刷内容を検出及び比較し、両面の印刷内容に関連性が無いと判別したとき、読取装置１は、読取対象の用紙を裏紙と特定し、片面のみの読取内容に応じた読取データを生成して出力する。【選択図】図１
2007288323.tif 000002
【特許請求の範囲】
【請求項１】
用紙両面の読取が可能な読取手段を備え、該読取手段で両面が印刷済みの用紙を読み取った場合に用紙両面の印刷内容の関連性を判別する用紙面判別装置において、
両面に文章が印刷してある用紙の両面を読み取った場合、読取内容に基づいて用紙両面の文末の表現が一致するか否かを検出する検出手段と、
文末の表現が一致しないことが前記検出手段で検出された場合、用紙両面の印刷内容は関連性が無いと判別する判別手段と
を備えることを特徴とする用紙面判別装置。
【請求項２】
用紙両面の読取が可能な読取手段を備え、該読取手段で両面が印刷済みの用紙を読み取った場合に用紙両面の印刷内容の関連性を判別する用紙面判別装置において、
両面に文字が印刷してある用紙の両面を読み取った場合、読取内容に基づいて用紙両面の文字に係る言語が一致するか否かを検出する検出手段と、
言語が一致しないことが前記検出手段で検出された場合、用紙両面の印刷内容は関連性が無いと判別する判別手段と
を備えることを特徴とする用紙面判別装置。
【請求項３】
用紙両面の読取が可能な読取手段を備え、該読取手段で両面が印刷済みの用紙を読み取った場合に用紙両面の印刷内容の関連性を判別する用紙面判別装置において、
両面に複数の文字が印刷してある用紙の両面を読み取った場合、読取内容に基づいて用紙両面の一行当たりの文字数又は行数を計数する計数手段と、
該計数手段が計数した数値が用紙両面の読取内容に対して一致するか否かを検出する検出手段と、
前記数値が用紙両面の読取内容に対して一致しないことが前記検出手段で検出された場合、用紙両面の印刷内容は関連性が無いと判別する判別手段と
を備えることを特徴とする用紙面判別装置。
【請求項４】
用紙両面の読取が可能な読取手段を備え、該読取手段で両面が印刷済みの用紙を読み取った場合に用紙両面の印刷内容の関連性を判別する用紙面判別装置において、
両面に複数の文字が印刷してある用紙の両面を読み取った場合、読取内容に基づいて用紙面ごとに一つの単語の使用回数を計数する計数手段と、
該計数手段が計数した用紙の一方面での数値と他方面での数値とを比較する比較手段と、
該比較手段が比較した結果に基づいて、用紙両面の印刷内容の関連性を判別する判別手段とを備えることを特徴とする用紙面判別装置。
【請求項５】
基準値の指定を受け付ける受付手段を備え、
前記比較手段は、一方面での数値と他方面での数値との数値比が前記受付手段で指定を受け付けた基準値を超えるか否かを比較しており、
前記判別手段は、前記比較手段の比較結果により前記数値比が前記基準値を超えた場合に用紙両面の印刷内容は関連性が無いと判別する請求項４に記載の用紙面判別装置。
【請求項６】
前記判別手段が用紙両面の印刷内容は関連性がないと判別した場合、用紙の一方面に係る読取内容に応じた読取データを生成するデータ生成手段を備える請求項１乃至請求項５のいずれか１つに記載の用紙面判別装置。
【請求項７】
前記読取手段は、用紙片面のみの読取を行うことが可能であり、
前記データ生成手段は、前記読取手段が用紙片面のみの読取を行う場合の読取面を前記用紙の一方面に対応させて読取データを生成する請求項６に記載の用紙面判別装置。
【発明の詳細な説明】
【技術分野】
【０００１】
本発明は、ユーザが印刷及び複写等に用いる用紙として裏紙を用いることで両面印刷済みの用紙を発生させた場合、その両面印刷済みの用紙に対して両面読取を行っても、用紙面の判別を行ってユーザが必要な面のみの読取データを自動生成できるようにした用紙面判別装置に関する。
【背景技術】
【０００２】
従来、用紙の有効活用のため、一方の面が印刷済みの用紙を裏紙として使用し、この用紙（裏紙）の他方の白紙状態の面にプリンター及び複写機のような画像形成装置（印刷装置）で新たな印刷を行うことがある。このような印刷が行われた裏紙をスキャナ、ファクシミリ装置のような読取部を備えた画像読取装置で読み取って印刷内容に応じたデジタルの読取データを生成することがある。
【０００３】
画像読取装置の中には、用紙の両面を読取可能にした機種も存在する。用紙両面の読取が可能な画像読取装置で上述した両面印刷済みの裏紙を読み取った場合、画像読取装置は裏紙の両面を読み取ってしまうため、ユーザにとっては不要な読取データ（裏紙の一方の面の印刷内容に応じたデータ）が発生する。このような不要な読取データの発生を防ぐため、特許文献１では、用紙両面から読み取った画像データの白または黒のデータ数に基づきユーザにとって必要な面を判別するファクシミリ装置が開示されている。また、特許文献２では、読み取った印刷内容で使用される文字の書体（フォント）を判定することが開示されているので、用紙両面のフォントの相異により用紙両面の印刷内容の関連性を判別することも想定できる。
【特許文献１】特開平９−７４４６３号公報
【特許文献２】特開昭６３−１５５３９０号公報
【発明の開示】
【発明が解決しようとする課題】
【０００４】
特許文献１に係るファクシミリ装置では、裏紙の両面が同程度に印刷された場合では、裏紙の不要面を判別できないと云う問題がある。また、特許文献２に記載された内容を利用して、文字フォントにより裏紙に不要面を判別しようとした場合でも、裏紙の両面が同一のフォントであれば不要面を判別できないと云う問題がある。
【０００５】
本発明は、斯かる問題に鑑みてなされたものであり、裏紙の両面が同程度に印刷された場合、裏紙の両面が同一フォントで印刷された場合でも、先に印刷済みとなっていた裏紙の不要面に応じた読取データを出力しないようにした用紙面判別装置を提供することを目的とする。
【課題を解決するための手段】
【０００６】
上記課題を解決するために本発明に係る用紙面判別装置は、用紙両面の読取が可能な読取手段を備え、該読取手段で両面が印刷済みの用紙を読み取った場合に用紙両面の印刷内容の関連性を判別する用紙面判別装置において、両面に文章が印刷してある用紙の両面を読み取った場合、読取内容に基づいて用紙両面の文末の表現が一致するか否かを検出する検出手段と、文末の表現が一致しないことが前記検出手段で検出された場合、用紙両面の印刷内容は関連性が無いと判別する判別手段とを備えることを特徴とする。
【０００７】
本発明にあっては、読み取った用紙両面の文末の表現が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別可能になる。文末の表現としては「です調」、「である調」、「あります調」などが挙げられ、読み取った一方の面が「です調」であり、他方の面が「である調」である場合は文末の表現が一致しないことになる。即ち、用紙両面の印刷内容が関連するのであれば、文末の表現は統一されるのが通常であるため、用紙の面ごとに文末の表現が統一されていなければ、読取対象の用紙は裏紙と考えられるので、この場合は用紙両面の印刷内容は関連性が無いと判別できる。
【０００８】
また、本発明に係る用紙面判別装置は、用紙両面の読取が可能な読取手段を備え、該読取手段で両面が印刷済みの用紙を読み取った場合に用紙両面の印刷内容の関連性を判別する用紙面判別装置において、両面に文字が印刷してある用紙の両面を読み取った場合、読取内容に基づいて用紙両面の文字に係る言語が一致するか否かを検出する検出手段と、言語が一致しないことが前記検出手段で検出された場合、用紙両面の印刷内容は関連性が無いと判別する判別手段とを備えることを特徴とする。
【０００９】
本発明にあっては、読み取った用紙両面の文字に係る言語が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別可能になる。例えば、用紙の一方の面が日本語、他方の面が英語であれば、両面が連続して印刷された内容と考えることは通常、不自然である。従って、このような場合は、用紙両面の印刷内容は関連性が無いと判別できる。
【００１０】
さらに、本発明に係る用紙面判別装置は、用紙両面の読取が可能な読取手段を備え、該読取手段で両面が印刷済みの用紙を読み取った場合に用紙両面の印刷内容の関連性を判別する用紙面判別装置において、両面に複数の文字が印刷してある用紙の両面を読み取った場合、読取内容に基づいて用紙両面の一行当たりの文字数又は行数を計数する計数手段と、該計数手段が計数した数値が用紙両面の読取内容に対して一致するか否かを検出する検出手段と、前記数値が用紙両面の読取内容に対して一致しないことが前記検出手段で検出された場合、用紙両面の印刷内容は関連性が無いと判別する判別手段とを備えることを特徴とする。
【００１１】
本発明にあっては、読み取った用紙両面の一行当たりの文字数又は行数が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別可能になる。すなわち、用紙の両面に印刷を行うときは通常、用紙の書式（一行当たりの文字数又は行数）は統一するので、読み取った両面で用紙の書式が異なれば、用紙に裏紙が使用されたと識別できる。
【００１２】
さらにまた、本発明に係る用紙面判別装置は、用紙両面の読取が可能な読取手段を備え、該読取手段で両面が印刷済みの用紙を読み取った場合に用紙両面の印刷内容の関連性を判別する用紙面判別装置において、両面に複数の文字が印刷してある用紙の両面を読み取った場合、読取内容に基づいて用紙面ごとに一つの単語の使用回数を計数する計数手段と、該計数手段が計数した用紙の一方面での数値と他方面での数値とを比較する比較手段と、該比較手段が比較した結果に基づいて、用紙両面の印刷内容の関連性を判別する判別手段とを備えることを特徴とする。
【００１３】
本発明にあっては、読み取った用紙の一方の面と他方の面で、ある単語の使用回数の比較を行い、その比較結果に基づき用紙両面の印刷内容の関連性を判別するので、裏紙両面の印刷量が同程度である場合、及び裏紙両面が同一フォントで印刷された場合でも、読み取った用紙に裏紙が使用されたかを識別可能になる。すなわち、用紙両面の印刷内容に関連がある場合、キーワードとなる単語は両面で頻繁に登場する。そのため、用紙両面の印刷内容が関連するのであれば、両面でのキーワードの使用頻度は一般的に同等になるので、一方の面でのキーワードが他方の面で皆無であるとき、又は両面でキーワードの使用回数が著しく異なる場合は、用紙に裏紙が使用されたと識別できる。
【００１４】
本発明に係る用紙面判別装置は、基準値の指定を受け付ける受付手段を備え、前記比較手段は、一方面での数値と他方面での数値との数値比が前記受付手段で指定を受け付けた基準値を超えるか否かを比較しており、前記判別手段は、前記比較手段の比較結果により前記数値比が前記基準値を超えた場合に用紙両面の印刷内容は関連性が無いと判別することを特徴とする。
【００１５】
本発明にあっては、一方面での数値と他方面での数値との数値比が基準値を超えるか否かを比較して関連性を判別するので、より確実に関連性を判別できると共に、ユーザから指定を受け付ける基準値の数値に応じて関連性の判別基準を変更できるため、ユーザの指定内容に基づき判別基準を柔軟に変更でき、読取対象となる裏紙の内容に合わせて柔軟な判別基準を設定できる。
【００１６】
また、本発明に係る用紙面判別装置は、前記判別手段が用紙両面の印刷内容は関連性がないと判別した場合、用紙の一方面に係る読取内容に応じた読取データを生成するデータ生成手段を備えることを特徴とする。
本発明にあっては、読み取った用紙両面の印刷内容に関連性が無いと判別された場合は、一方面のみの読取データを生成するので、ユーザに無用な読取データの発生を未然に防止できる。
【００１７】
さらに、本発明に係る用紙面判別装置は、前記読取手段は、用紙片面のみの読取を行うことが可能であり、前記データ生成手段は、前記読取手段が用紙片面のみの読取を行う場合の読取面を前記用紙の一方面に対応させて読取データを生成することを特徴とする。
本発明にあっては、読取データを生成する対象を、片面読取を行う場合の読取面に一致させるため、読取対象の裏紙を装置にセットする際、裏紙に対して読取を希望する面を、通常の片面読取を行う場合と同方向にセットすれば良くなるので、用紙セットに対するユーザの混乱が無くなり、ユーザの使い勝手を良好に維持できる。
【発明の効果】
【００１８】
本発明にあっては、読み取った用紙両面の文末の表現が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別できる。
また、本発明にあっては、読み取った用紙両面の文字に係る言語が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別できる。
【００１９】
さらに、本発明にあっては、読み取った用紙両面の一行当たりの文字数又は行数が一致しないことを検出した場合は、用紙両面の印刷内容は関連性が無いと判別するので、裏紙両面の印刷量が同程度である場合、及び裏紙両面が同一フォントで印刷された場合でも、読み取った用紙が裏紙であるかを識別できる。
【００２０】
さらにまた、本発明にあっては、読み取った用紙の一方の面と他方の面で、ある単語の使用回数の比較を行い、その比較結果に基づき用紙両面の印刷内容の関連性を判別するので、裏紙両面の印刷量が同程度である場合、及び裏紙両面が同一フォントで印刷された場合でも、読み取った用紙が裏紙であるかを識別できる。
また、本発明にあっては、一方面での数値と他方面での数値との数値比が基準値を超えるか否かで関連性を判別するので、より確実に関連性を判別できると共に、関連性の判別基準を柔軟に変更できる。
【００２１】
さらに、本発明にあっては、読み取った用紙両面の印刷内容に関連性が無いと判別された場合は、一方面のみの読取データを生成するので、ユーザに無用な読取データが発生することを防止できる。
さらにまた、本発明にあっては、読取データを生成する対象を、片面読取を行う場合の読取面に一致させるので、裏紙の読取を行う場合でも、読取を希望する面を通常の片面読取を行うときと同方向にセットすれば良くなり、容易に読取対象の用紙をセットできる。
【発明を実施するための最良の形態】
【００２２】
図１は、本発明の実施形態に係る読取装置１（用紙面判別装置に相当）の内部構成を示している。本実施形態の読取装置１はスキャナ装置の形態を採用し、用紙に印刷された内容（画像）を読み取ると共に、読取内容に基づき生成した読取データ（ＰＤＦファイル形式のデータ、ＢＭＰファイル形式のデータ等）をコンピュータＰＣへ出力する。読取装置１は、設定に応じて用紙の片面読取及び両面読取の両方が可能であり、特に両面読取を行う場合、読取対象の用紙が両面印刷済みの裏紙であることを自動で特定すると、裏紙に後から印刷された面の内容に対してのみ読取データを生成し、不要な読取データ（裏紙の先に印刷されていた内容に応じた読取データ）の発生を防止できることを特徴にしている。
【００２３】
読取装置１は、読取対象となる用紙の送り処理及び読取処理に関する部分として給紙部２、読取部３、及び排紙部４を設けており、これら各部２〜４の制御と読取データの出力等を行うために読取制御部５、作業用メモリ６、操作部７、表示パネル８、及び読取データ送出部９を設けている。
【００２４】
給紙部２は給紙トレイ２ａに載置（セット）された用紙を読取制御部５の制御に基づき読取部３へ送る処理を行い、給紙ローラ及び給紙ローラの駆動用モータ（図示せず）等を具備すると共に、給紙トレイ２ａにセットされた用紙の有無を検出する用紙センサ２ｂを備える。用紙センサ２ｂは用紙を検出した場合（オンの場合）、用紙検出の旨（用紙センサ２ｂがオンしている旨）を検出信号として読取制御部５へ通知する。なお、読取装置１では、片面読取を行う場合、給紙トレイ２ａにセットされた用紙のユーザから見える上向きの面（セットされた用紙の給紙トレイ２ａの載置面と対向する面の反対側の面）が読取面となる。
【００２５】
読取部３は読取手段に相当し、給紙部２から送られてきた用紙に印刷された内容（画像）の読取処理を行うものであり、送られてくる用紙の両面にそれぞれ対向するようにＣＣＤ方式又はＣＩＳ方式のイメージセンサ（図示せず）を設けている。読取部３は片面読取を行う場合、上述した用紙の上向きの面に対向する側のイメージセンサのみを作動させて読取処理を行い、両面読取を行う場合、両方のイメージセンサを作動させて読取処理を行う。また、読取部３、読取により取得した読取内容を読取面ごとに順次、読取制御部５へ送る。
【００２６】
排紙部４は、読取部３で読取が完了した用紙を外方へ排紙するものであり、排紙トレイ、排紙ローラ、及び排紙ローラの駆動用モータ（図示せず）等を具備し、読取制御部５の制御に基づいてモータを回転させて読取済みの用紙を排出する。
【００２７】
操作部７は上下左右キー、決定キー、読取スタートキー、その他複数のキー等を有し、これら各キーでユーザから様々な操作指示を受け付ける受付手段として機能すると共に、受け付けた操作指示を読取制御部５へ送る。表示パネル８は、読取装置１の処理状況に応じて読取制御部５から送られる様々な内容を表示するものであり、例えば、読取に対する設定準備段階では図２〜３に示す各種メニュー２０〜２３を表示する。読取データ送出部９は、外部のコンピュータＰＣと接続される接続端子であり、読取制御部５から受け取った読取データを順次、コンピュータＰＣへ送る処理を行う。
【００２８】
読取制御部５は、読取装置１の各種処理の中心となって上述した各部２１〜２３における各処理の制御を操作部７から受け付けた操作内容に応じて行うものであり、内部メモリ５ａを具備すると共に、処理に伴い発生する読取内容、データ等を一時的に保存する作業用メモリ６を接続している。また、内部メモリ５ａは、読取制御部５が行う各種制御処理内容を規定したプログラムＰｇと、図２〜３に示す各種メニュー２０〜２３の画像内容に応じたメニューデータＤ、及び裏紙の用紙面判別処理に用いる基準値Ｋ等を予め記憶している。
【００２９】
読取制御部５は、内部メモリ５ａに記憶されたプログラムＰｇにより、設定準備段階及び読取段階等の各段階で様々な処理を行う。先ず、設定準備段階では、用紙の片面読取又は両面読取のいずれを行うのかを設定できるように、メニューデータＤを表示パネル８へ送りメニュー画像２０〜２３等を順次表示させる。
【００３０】
図２（ａ）は、設定準備段階の最初に表示パネル８で表示される第１メニュー２０を示す。第１メニュー２０は、読取方式の選択を受け付けるものであり、操作部７の上下左右キー及び決定キーを操作することで選択可能な片面読取ボタン２０ａ、及び両面読取ボタン２０ｂを備えている。この第１メニュー２０で片面読取ボタン２０ａがユーザに選択された場合、読取制御部５は片面読取に応じた制御を行い、両面読取ボタン２０ｂが選択された場合は両面読取に応じた制御を行う。
【００３１】
図２（ｂ）は、図２（ａ）の第１メニュー２０で両目読取ボタン２０ｂが選択された場合に表示パネル８で表示される第２メニュー２１を示す。第２メニュー２１は、両面読取を行う場合に、読取対象の用紙が裏紙であるかを判別する処理を行うか否かを設定するものであり、選択可能なＹＥＳボタン２１ａ、及びＮＯボタン２１ｂを備えている。なお、ＹＥＳボタン２１ａが選択された場合、読取装置１は裏紙判別を含めた両面読取を行う設定になり、ＮＯボタン２１ｂが選択された場合は、通常の両面読取を行う設定になる。
【００３２】
図３（ａ）は、図２（ｂ）の第２メニュー２１でＹＥＳボタン２１ａが選択された場合に表示パネル８で表示される第３メニュー２２を示す。第３メニュー２２は、裏紙判別を行う際の判別条件として４項目の中から少なくとも１つを選択するものであり（複数項目選択可能）、第１ボタン２２ａ〜第４ボタン２２ｄの計４個の選択可能なボタンを備えている。
【００３３】
第３メニュー２２の第１ボタン２２ａは、判別条件として文末表現を選択する場合に操作されるものである。文末表現が判別条件に選択されると、読取処理において用紙に印刷された文章の文末の表現が用紙両面で一致するか否かが検出される。具体的には、「だ調（〜だ、〜でない等）」、「である調（〜である、〜でない等）」、「です調（〜です、〜ないのです等）」、「であります調（〜であります、〜でありません等）」、「ございます調（〜ございます、〜ござません等）」等の文末表現の一致具合を用紙両面に対して読取制御部５が検出手段として検出する。そのため、例えば、図４（ａ）に示すように用紙Ｐの一方面Ｐａ及び他方面Ｐｂの文末表現が両方とも「です調」であれば、読取制御部５は用紙両面の印刷内容に関連性がありと判別し、図４（ｂ）に示すように用紙Ｐの一方面Ｐａの文末表現が「です調」、他方面Ｐｂの文末表現が「だ調」であれば、文末表現が一致しないので、用紙Ｐの両面の印刷内容に関連性が無いと判別することになる。
【００３４】
また、図３（ａ）に示す第３メニュー２２の第２ボタン２２ｂは、判別条件として言語を選択する場合に操作されるものである。言語が判別条件に選択されると、読取処理において用紙に印刷された文字の言語が用紙両面で一致するか否かが検出される。具体的には、日本語の文字（ひらがな、かたかな、漢字）、英語の文字（ローマ字、アルファベット）、韓国語の文字（ハングル文字）等の一致具合を用紙両面に対して読取制御部５が検出手段として検出する。そのため、例えば、図５（ａ）に示すように用紙Ｐの一方面Ｐａ及び他方面Ｐｂで使用される文字が両方とも「ひらがな（日本語）」であれば、読取制御部５は用紙両面の印刷内容に関連性がありと判別し、図５（ｂ）に示すように用紙Ｐの一方面Ｐａの全文字が「ローマ字（英語）」、他方面Ｐｂの文字が「ひらがな（日本語）」であれば、言語が一致しないので用紙Ｐの両面の印刷内容に関連性が無いと判別することになる。
【００３５】
さらに、図３（ａ）に示す第３メニュー２２の第３ボタン２２ｃは、判別条件として書式を選択する場合に操作されるものである。書式が判別条件に選択されると、読取処理において用紙に印刷された複数の文字に係る一行当たりの文字数又は行数の一致具合を用紙両面に対して読取制御部５が検出手段として検出する。そのため、例えば、図６（ａ）に示すように用紙Ｐの一方面Ｐａ及び他方面Ｐｂの両方とも一行当たりの文字数又は行数が一致すれば、読取制御部５は用紙両面の印刷内容に関連性がありと判別し、図６（ｂ）に示すように用紙Ｐの一方面Ｐａの一行当たりの文字数（８個）が、他方面Ｐｂの一行当たりの文字数（１１個）より少なく、両面で文字数が一致しないのであれば、用紙Ｐの両面の印刷内容に関連性が無いと判別することになる。なお、読取制御部５は、用紙Ｐの一方面Ｐａの行数が、他方面Ｐｂの行数と一致しないときも、用紙両面の印刷内容に関連性が無いと判別する。
【００３６】
さらにまた、図３（ａ）に示す第３メニュー２２の第４ボタン２２ｄは、判別条件としてキーワードを選択する場合に操作されるものである。キーワードに基づく判別とは、読取制御部５が計数手段として用紙の一方面に印刷された複数の文字をそれぞれ計数し、複数の文字の中から最も使用回数が多い単語をキーワードとして特定し、そのキーワードが用紙の他方面で使用される回数を計数する。さらに読取制御部５は比較手段として、そのキーワードに対する一方面の使用回数と他方面での使用回数の数値比（一方面の使用回数／他方面での使用回数）と、内部メモリ５ａで記憶される基準値Ｋとを比較する。この比較の結果に基づき数値比が基準値を超えた場合、読取制御部５は用紙両面の印刷内容に関連性が無いと判別する。
【００３７】
例えば、図７（ａ）に示すように、用紙Ｐの一方面Ｐａでキーワードである「液晶」と云う単語の使用回数が１３回、用紙Ｐの他方面Ｐｂでキーワードである「液晶」と云う単語の使用回数が１０回であり、判別に用いる基準値Ｋの値が「１．５」であれば、キーワードに係る用紙両面での数値比１．３（１３／１０）は基準値Ｋ（１．５）を超えていないので、読取制御部５は用紙両面の印刷内容に関連性があると判別する。また、図７（ｂ）に示すように、用紙Ｐの一方面Ｐａでのキーワード使用回数が１０回、他方面Ｐｂでの使用回数が２回であれば、数値比５（１０／２）は基準値Ｋ（１．５）を超えるので、読取制御部５は用紙両面の印刷内容に関連性が無いと判別する。
【００３８】
このようなキーワードに対する判別に用いる基準値Ｋは、判別のレベルに大きく影響を及ぼすため、本実施形態の読取装置１は数値が３段階（例えば、１．５、２．５、４）で相異する３つの基準値Ｋを内部メモリ５ａに予め記憶しており、このような各基準値Ｋは、図３（ｂ）の第４メニュー２３でユーザの操作部７の操作により指定を受け付ける。第４メニュー２３は、図３（ａ）の第３メニュー２２で第４ボタン２２ｄが選択された場合に表示パネル８に表示されるものであり、選択可能な第１レベルボタン２３ａ〜第３レベルボタン３ｄを有する。第１レベルボタン２３ａが選択された場合、読取制御部５は、数値が「１．５」の基準値Ｋを用いることを決定して「きびしいレベル」で判別処理を行う。また、第２レベルボタン２３ｂが選択された場合、読取制御部５は、数値が「２．５」の基準値Ｋを用いることを決定して「ふつうのレベル」で判別処理を行う。さらに、第３レベルボタン２３ｃが選択された場合、読取制御部５は、数値が「４」の基準値Ｋを用いることを決定して「ゆるいレベル」で判別処理を行う。
【００３９】
読取制御部５は、設定準備段階では、上述した各メニュー２０〜２３等を表示し、操作部７でユーザから各種操作の受付を行う。また、設定準備の終了後、操作部７の読取スタートキーがユーザに操作されると、読取制御部５は、給紙トレイ２ａにセットされた用紙を読み取るために、給紙部２の給紙ローラを駆動させる制御を行うと共に、読取部２で用紙の読取を行うための制御を行う。
【００４０】
読取処理において、設定準備段階で片面読取が設定されていた場合、読取制御部５は片面の読取内容に応じた読取データをデータ生成手段として生成し、読取データ送出部９からコンピュータＰＣへ出力する制御を行う。なお、読取制御部５は読取の完了した用紙を排出するために排紙部４の排紙ローラの駆動制御を行う（他の場合も同様）。また、設定準備段階で通常の両面読取が設定されていた場合、読取制御部５は両面の読取内容に応じた読取データを生成し、その読取データ送出部９からコンピュータＰＣへ出力する制御を行う。
【００４１】
さらに、設定準備段階において両面読取で且つ裏面判別が設定されていた場合、読取制御部５は読み取った用紙両面の内容をテキスト的な内容に変換して、文末の表現、言語、文字数、行数、文字による単語を検出できる状態の変換データを生成する。この変換データに対して読取制御部５は判別手段として、設定された判別条件に基づき用紙両面の印刷内容の関連性を判別する。なお、設定準備段階で複数の条件が設定されていた場合、読取制御部５は条件の少なくとも１つにおいて印刷内容の関連性が無いと判別されたときは、読取対象の用紙を裏紙と特定する。
【００４２】
用紙両面の関連性が無く、読取対象の用紙を裏紙と特定した場合、読取制御部５は、片面読取を行う場合の読取面に対応する面の読取内容に対してのみ、読取データを生成して出力する。なお、用紙両面の関連性が有ると判別された場合、読取制御部５は通常の両面読取と同様に、用紙両面に応じた読取データを生成して出力する。
【００４３】
図８のフローチャートは、設定準備段階で両面読取が選択された以降に、上述した読取装置１（読取制御部５）が行う処理手順を整理したものである。以下、このフローチャートに基づき読取装置１の一連の処理の流れを整理して説明する。
【００４４】
先ず、読取装置１は表示パネル８に図２（ｂ）の第２メニュー２１を表示して、裏紙判別の処理が設定されたか否かを判断する（Ｓ１）。第２メニュー２１でＮＯボタン２１ｂが操作されて裏紙判別の処理が設定されない場合（Ｓ１：ＮＯ）、操作部７の読取スタートキーがユーザにより操作されることに応じて通常の両面読取処理が開始され、読取装置１は用紙の両面読取を行い（Ｓ２）、読み取った両面の読取データを生成して（Ｓ３）、読取データの出力を行う（Ｓ９）。
【００４５】
一方、第２メニュー２１でＹＥＳボタン２１ａが操作されて裏紙判別の処理が設定された場合（Ｓ１：ＹＥＳ）、読取装置１は次に図３（ａ）の第３メニュー２２を表示して判別条件の選択を受け付ける（Ｓ４）。なお、第３メニュー３３で判別条件としてキーワードが選択された場合、読取装置１は引き続き図３（ｂ）の第４メニュー２３を表示して、キーワードに対する判定レベルの設定を行う。それから、操作部７の読取スタートキーがユーザにより操作されることに応じて、読取装置１は裏面判別に応じた両面読取処理を開始し、用紙両面の読取を行うと共に、裏面判別処理を行えるように変換データを生成し（Ｓ５）、設定された条件に従って判別処理を行う（Ｓ６）。
【００４６】
判別処理では、文末表現が判別条件に設定されているときは、変換データに基づき図４（ａ）（ｂ）に示すように用紙両面の文末表現が一致するか否かを読取制御部５が検出する。文末表現が一致しないことを検出した場合、読取制御部５は用紙両面の印刷内容は関連性が無いと判別し、読取対象の用紙を裏紙と特定する。なお、文末表現が一致することを検出した場合、読取制御部５は、読取対象の用紙は裏紙で無いと特定する。また、言語が判別条件に設定されているときは、変換データに基づき図５（ａ）（ｂ）に示すように変換データに基づき用紙両面の文字の言語が一致するか否かを読取制御部５が検出する。言語が一致しないことを検出した場合、読取制御部５は用紙両面の印刷内容は関連性が無いと判別し、読取対象の用紙を裏紙と特定する。なお、言語が一致することを検出した場合、読取制御部５は、読取対象の用紙は裏紙で無いと特定する。
【００４７】
さらに、書式が判別条件に設定されているときは、変換データに基づき読取制御部５は用紙両面の一行当たりの文字数及び行数を計数し、図６（ａ）（ｂ）に示すように用紙両面の一行当たりの文字数又は行数の一致を検出する。一行当たりの文字数又は行数の少なくとも一方が一致しないことを検出した場合、読取制御部５は用紙両面の印刷内容は関連性が無いと判別し、読取対象の用紙を裏紙と特定する。なお、書式が一致することを検出した場合、読取制御部５は、読取対象の用紙は裏紙で無いと特定する。
【００４８】
さらにまた、キーワードが判別条件に設定されているときは、変換データに基づき読取制御部５は、片面読取に対応する読取面の内容に含まれる各文字の使用回数を計数し、最も使用回数の多い文字をキーワード（単語）に特定する。それから読取制御部５は、他方面におけるキーワードの使用回数を計数し、キーワードの両面に対する数値比を算出し、その数値と基準値Ｋの比較を行う（図７（ａ）（ｂ）参照）。比較の結果、数値比が基準値Ｋを超えた場合、読取制御部５は用紙両面の印刷内容は関連性が無いと判別し、読取対象の用紙を裏紙と特定する。なお、数値比が基準値Ｋ以下の場合、読取制御部５は、読取対象の用紙は裏紙で無いと特定する。
【００４９】
上述したような判別処理（Ｓ６）を行って、読取対象の用紙が裏紙で無いと特定されたとき（複数の判別条件が設定されている場合は、全ての判別条件で用紙が裏紙で無いと特定されたとき、Ｓ７：ＮＯ）、通常の両面読取処理と同様に、読み取った両面の読取データを生成して（Ｓ３）、読取データの出力を行う（Ｓ９）。
【００５０】
一方、判別処理（Ｓ６）で、読取対象の用紙が裏紙であると特定されたとき（複数の判別条件が設定されている場合は、判別条件の一つでも裏紙であると特定されたときＳ７：ＹＥＳ）、読取装置１は、片面読取を行う面に一致した読取内容のみの（片面のみの）読取データを生成し（Ｓ８）、その読取データを出力する（Ｓ９）。本発明の読取装置１は、このような処理を行うので、裏紙判別の設定さえ行っておけば、両面印刷済みの裏紙に対して読取装置１で読取を行っても、裏紙に後から印刷された内容に応じた読取データ（デジタルデータ）のみを自動で取得でき、無用な読取データ（裏紙の不要面に応じたデータ）が生じることを防止できる。
【００５１】
なお、本実施形態の読取装置１は、上述した形態に限定されず様々な変形例の適用が可能である。例えば、読取装置１が読取対象の用紙が裏紙であると特定したときは、表示パネル８に裏紙であるので不要面の読取データを出力しない旨をユーザに尋ねる表示を行い、その旨に対してユーザが同意する操作を行った場合だけ、新たな印刷面の読取データ（片面の読取データ）のみを出力する仕様にしてもよい。また、判別条件の中に用紙両面に印刷された文字の向きを含ませるようにしてもよい。即ち、裏紙の白紙面に印刷する場合、先に印刷された面の文字の向きと上下が逆になることがあるので、読取内容に基づいて読取制御部５が用紙両面の文字の向きが一致するか否かを検出し、向きが一致しないことを検出したときは用紙両面の印刷内容に関連性が無いと判別してもよい。
【００５２】
さらに、読取装置１の表示パネル８を省略すると共に、図２〜３に示す各メニュー２０〜２３に係るメニューデータＤを外部のコンピュータＰＣへ出力し、外部のコンピュータＰＣを利用して設定準備段階における各種設定を行うようにしてもよい。さらにまた、判別条件のキーワードに関しては、用紙の一方面でのキーワードの使用回数と、他方面でのキーワードの使用回数とを比較し、比較結果に基づき関連性の判別を行うことが可能であり、例えば、キーワードの使用回数の両面での差を算出し、その差が基準値を超えた場合は用紙両面の印刷内容に関連性が無いと判別する処理内容にしてもよい。
【００５３】
一方、読取装置１の処理内容を簡易化した仕様にすることも可能であり、例えば、図３（ｂ）の第４メニュー２３での判別レベルの選択を省略して、キーワードを判別条件にするときは、一種類の基準値で判別処理を行ってもよい。また、更なる仕様の簡略化を図る場合は、図３（ａ）に示す４種類の判別条件の全てを選択できるようにするのではなく、３種類又は２種類を選択するようにしてもよく、さらに一段と簡略化を図るには、判別条件の選択自体を省略して、いずれか１つの判別条件に固定して判別処理を行うことも可能である。
【００５４】
また、本発明の読取装置１は、スキャナ装置に適用させた場合で説明したが、本発明の用紙判別装置に係る構成をファクシミリ装置又は複写機へ適用することも可能である。例えば、ファクシミリ装置に適用する場合は、図１の読取データ送出部９を、電話通信回線を通じて読取データを送信できる機能を設けた通信回線接続部に変更することで対応できる。
【００５５】
図９は、本発明の読取装置１の構成を複写機３０に適用した場合を示している。複写機３０は、複写元の用紙Ｐの両面読取を行って、給紙部３８の給紙カセット３７ａにセットされた白紙の用紙に読取内容を印刷部３９で印刷を行って、印刷済み用紙Ｐ′を排紙部４０から排紙するものである。このような複写機３０で、複写元の用紙Ｐとして両面が印刷済みの裏紙を用いたとしても、裏紙判別の処理を設定することで、裏紙の新たな印刷内容のみを読み取って、その読取内容のみを印刷部３９で印刷することが可能になる。なお、複写機３０における原稿給紙部３１、原稿読取部３２、及び原稿用排紙部３３が、図１の読取装置１の給紙部２、読取部３、及び排紙部４にそれぞれ対応し、また複写機３０の制御部３４、操作部３５、作業用メモリ３６、及び表示パネル３７が、図１に示す読取装置１の読取制御部５、作業用メモリ６、操作部７、及び表示パネル８にそれぞれ対応する。
【図面の簡単な説明】
【００５６】
【図１】本発明の実施形態に係る読取装置の構成を示すブロック図である。
【図２】（ａ）は第１メニューの内容を示す概略図、（ｂ）は第２メニューの内容を示す概略図である。
【図３】（ａ）は第３メニューの内容を示す概略図、（ｂ）は第４メニューの内容を示す概略図である。
【図４】（ａ）は用紙両面で文末表現が一致する例を示す概略図、（ｂ）は用紙両面で文末表現が一致しない例を示す概略図である。
【図５】（ａ）は用紙両面で言語が一致する例を示す概略図、（ｂ）は用紙両面で言語が一致しない例を示す概略図である。
【図６】（ａ）は用紙両面で書式が一致する例を示す概略図、（ｂ）は用紙両面で書式が一致しない例を示す概略図である。
【図７】（ａ）は用紙両面でキーワードの使用回数が同程度である例を示す概略図、（ｂ）は用紙両面でキーワードの使用回数が同程度でない例を示す概略図である。
【図８】読取装置の処理手順を示すフローチャートである。
【図９】本発明を適用した複写機の構成を示すブロック図である。
【符号の説明】
【００５７】
１  読取装置
３  読取部
５  読取制御部
５ａ  内部メモリ
７  操作部
８  表示パネル
９  読取データ送出部
２０  第１メニュー
２１  第２メニュー
２２  第３メニュー
２３  第４メニュー
Ｐ  用紙
Ｐｇ  プログラム
Ｄ  メニューデータ
Ｋ  基準値
【図１】
2007288323.tif 000003
【図２】
2007288323.tif 000004
【図３】
2007288323.tif 000005
【図４】
2007288323.tif 000006
【図５】
2007288323.tif 000007
【図６】
2007288323.tif 000008
【図７】
2007288323.tif 000009
【図８】
2007288323.tif 000010
【図９】
2007288323.tif 000011